(57)【特許請求の範囲】
【請求項１】
明るさの基準を与えるため被写体の後ろに配置された背景部材と、
この背景部材を背景にして被写体を撮影する撮影機と、
この撮影機によって撮影した撮影画像のうち被写体から外れた上記背景部材上の特定領域の明るさを検出し、この明るさに基づいて、上記撮影機で撮影した撮影画像の明るさを補正する画像処理部と、を備え、
上記画像処理部は、上記検出した特定領域の明るさを予め設定した明るさの許容範囲と比較し、上記特定領域の明るさが上記許容範囲から外れていた場合に、上記撮影機で撮影した撮影画像を複数の色成分に分解した各色成分毎の画像データを上記特定領域の明るさに基づいてそれぞれ補正することを特徴とする撮影装置。
【請求項２】
上記画像処理部は、上記撮影機で撮影した特定領域の画像を複数の色成分に分解して各色成分毎の画像の明るさを検出することにより上記特定領域の明るさを検出することを特徴とする請求項１に記載の撮影装置。
【請求項３】
被写体を照明する照明手段をさらに備えていることを特徴とする請求項１または請求項２に記載の撮影装置。
【請求項４】
人物を撮影する撮影装置と、
当該人物の個人情報を記載した申請書を読み取る読取装置と、
カード媒体を供給するカード供給部と、
このカード供給部から供給されたカード媒体上に、上記撮影装置で撮影した当該人物の顔写真、および上記読取装置を介して読み取った当該人物の個人情報を印刷する印刷部と、
顔写真および個人情報が印刷されたカード媒体上に保護膜を形成する保護膜形成部と、
保護膜を形成したＩＤカードを集積する集積部と、を有し、
上記撮影装置は、
明るさの基準を与えるため人物の後ろに配置された背景部材と、
この背景部材を背景にして人物を撮影する撮影機と、
この撮影機によって撮影した撮影画像のうち人物から外れた上記背景部材上の特定領域の明るさを検出し、この明るさに基づいて、上記撮影機で撮影した撮影画像の明るさを補正する画像処理部と、を備え、
上記画像処理部は、上記検出した特定領域の明るさを予め設定した明るさの許容範囲と比較し、上記特定領域の明るさが上記許容範囲から外れていた場合に、上記撮影機で撮影した撮影画像を複数の色成分に分解した各色成分毎の画像データを上記特定領域の明るさに基づいてそれぞれ補正することを特徴とするＩＤカード作成システム。
【請求項５】
上記画像処理部は、上記撮影機で撮影した特定領域の画像を複数の色成分に分解して各色成分毎の画像の明るさを検出することにより上記特定領域の明るさを検出することを特徴とする請求項４に記載のＩＤカード作成システム。
【請求項６】
明るさの基準を与えるための背景部材を背景にして被写体を撮影する撮影工程と、
この撮影工程で撮影した撮影画像のうち被写体から外れた上記背景部材上の特定領域の明るさを検出する検出工程と、
この検出工程で検出した上記特定領域の明るさに基づいて、上記撮影工程で撮影した撮影画像の明るさを補正する補正工程と、を備え、
上記補正工程では、上記検出工程で検出した上記特定領域の明るさを予め設定した明るさの許容範囲と比較し、上記特定領域の明るさが上記許容範囲から外れていた場合に、上記撮影工程で撮影した撮影画像を複数の色成分に分解した各色成分毎の画像データを上記特定領域の明るさに基づいてそれぞれ補正することを特徴とする撮影方法。
【請求項７】
上記検出工程では、上記特定領域の画像を複数の色成分に分解して各色成分毎の画像の明るさを検出することにより上記特定領域の明るさを検出することを特徴とする請求項６に記載の撮影方法。
【請求項８】
明るさの基準を与えるための背景部材を背景にして人物を撮影する撮影工程と、
この撮影工程で撮影した撮影画像のうち人物から外れた上記背景部材上の特定領域の明るさを検出する検出工程と、
この検出工程で検出した上記特定領域の明るさに基づいて、上記撮影工程で撮影した撮影画像の明るさを必要に応じて補正する補正工程と、
当該人物の個人情報を記載した申請書を読み取る読取工程と、
カード媒体を供給するカード供給工程と、
このカード供給工程で供給されたカード媒体上に、上記補正工程で必要に応じて補正された撮影画像のうちの当該人物の顔写真、および上記読取工程で読み取った当該人物の個人情報を印刷する印刷工程と、
顔写真および個人情報が印刷されたカード媒体上に保護膜を形成する保護膜形成工程と、
保護膜を形成したＩＤカードを集積する集積工程と、を備え、
上記補正工程では、上記検出工程で検出した上記特定領域の明るさを予め設定した明るさの許容範囲と比較し、上記特定領域の明るさが上記許容範囲から外れていた場合に、上記撮影工程で撮影した撮影画像を複数の色成分に分解した各色成分毎の画像データを上記特定領域の明るさに基づいてそれぞれ補正することを特徴とするＩＤカード作成方法。
【請求項９】
上記検出工程では、上記特定領域の画像を複数の色成分に分解して各色成分毎の画像の明るさを検出することにより上記特定領域の明るさを検出することを特徴とする請求項８に記載のＩＤカード作成方法。
【発明の詳細な説明】
【０００１】
【発明の属する技術分野】
この発明は、被写体を撮影する撮影装置、この撮影装置を組み込んだＩＤカード作成システム、撮影方法、およびＩＤカード作成方法に係り、特に、ＩＤカードに付与する人物の顔写真を撮影する撮影装置、この撮影装置を組み込んだＩＤカード作成システム、撮影方法、およびＩＤカード作成方法に関する。
【０００２】
【従来の技術】
従来、撮影装置として、ＩＤカード用の顔写真を撮影する撮影装置が知られている。この種の撮影装置は、被写体としての人物を照明するための照明装置、および人物を撮影するためのカメラを有する。
【０００３】
この撮影装置で人物を撮影する場合、一般に、撮影する部屋の窓などから入り込む外光をできるだけ遮蔽して外光による影響を少なくした上で、所定の照明装置で人物を照明し、被写体となる全ての人物に対して同等の明るさで撮影が行われるように工夫していた。
【０００４】
【発明が解決しようとする課題】
しかし、このような工夫をしても、装置の設置場所に応じて、部屋の照明器具の明るさや外光の明るさなどの環境が異なるため、撮影環境に応じてカメラの絞りを調節するなどして撮影条件を整える必要があった。
【０００５】
特に、自動絞り機能付のカメラで人物を撮影する場合には、被写体を含む撮影画像全体の明るさに基づいて自動絞り機能が働くため、例えば、被写体となる人物が濃い色の服を着ている場合には、撮影画像が必要以上に明るくなってしまう問題があった。言い換えると、自動絞り機能付のカメラで人物を撮影すると、被写体の明るさによって背景の明るさまで変わってしまう問題があった。
【０００６】
また、自動絞りは、撮影画像の明るさに応じて作動するため、作動するまでに僅かな時間が必要であり、多くの人物を連続して撮影する場合には、全体的な撮影時間が長くなる問題があった。
【０００７】
この発明は、以上の点に鑑みなされたもので、その目的は、外光などの影響を受けることなく被写体を一定の明るさで撮影でき、品質の高い撮影画像を提供できる撮影装置、この撮影装置を組み込んだＩＤカード作成システム、撮影方法、およびＩＤカード作成方法を提供することにある。
【０００８】
【課題を解決するための手段】
上記目的を達成するため、本発明の撮影装置は、明るさの基準を与えるため被写体の後ろに配置された背景部材と、この背景部材を背景にして被写体を撮影する撮影機と、この撮影機によって撮影した撮影画像のうち被写体から外れた上記背景部材上の特定領域の明るさを検出し、この明るさに基づいて、上記撮影機で撮影した撮影画像の明るさを補正する画像処理部と、を備え、上記画像処理部は、上記検出した特定領域の明るさを予め設定した明るさの許容範囲と比較し、上記特定領域の明るさが上記許容範囲から外れていた場合に、上記撮影機で撮影した撮影画像を複数の色成分に分解した各色成分毎の画像データを上記特定領域の明るさに基づいてそれぞれ補正する。
【０００９】
上記発明によると、被写体の明るさに影響する外光等の外的要因が同様に影響する背景部材の明るさを基準にして撮影画像の明るさを補正するため、撮影装置の設置場所、照明装置、外光、撮影時刻、季節などの撮影環境が変化しても、略同じ明るさレベルの画像を撮影でき、品質の高い撮影画像を提供できる。
【００１０】
また、上述した発明によると、上記画像処理部は、上記撮影機で撮影した特定領域の画像を複数の色成分に分解して各色成分毎の画像の明るさを検出することにより上記特定領域の明るさを検出することを特徴とする。
【００１２】
また、上述した発明によると、被写体を照明する照明手段をさらに備えていることを特徴とする。
【００１３】
また、本発明のＩＤカード作成システムは、人物を撮影する撮影装置と、当該人物の個人情報を記載した申請書を読み取る読取装置と、カード媒体を供給するカード供給部と、このカード供給部から供給されたカード媒体上に、上記撮影装置で撮影した当該人物の顔写真、および上記読取装置を介して読み取った当該人物の個人情報を印刷する印刷部と、顔写真および個人情報が印刷されたカード媒体上に保護膜を形成する保護膜形成部と、保護膜を形成したＩＤカードを集積する集積部と、を有し、上記撮影装置は、明るさの基準を与えるため人物の後ろに配置された背景部材と、この背景部材を背景にして人物を撮影する撮影機と、この撮影機によって撮影した撮影画像のうち人物から外れた上記背景部材上の特定領域の明るさを検出し、この明るさに基づいて、上記撮影機で撮影した撮影画像の明るさを補正する画像処理部と、を備え、上記画像処理部は、上記検出した特定領域の明るさを予め設定した明るさの許容範囲と比較し、上記特定領域の明るさが上記許容範囲から外れていた場合に、上記撮影機で撮影した撮影画像を複数の色成分に分解した各色成分毎の画像データを上記特定領域の明るさに基づいてそれぞれ補正する。
【００１４】
また、上述した発明によると、上記画像処理部は、上記撮影機で撮影した特定領域の画像を複数の色成分に分解して各色成分毎の画像の明るさを検出することにより上記特定領域の明るさを検出することを特徴とする。
【００１６】
また、本発明の撮影方法は、明るさの基準を与えるための背景部材を背景にして被写体を撮影する撮影工程と、この撮影工程で撮影した撮影画像のうち被写体から外れた上記背景部材上の特定領域の明るさを検出する検出工程と、この検出工程で検出した上記特定領域の明るさに基づいて、上記撮影工程で撮影した撮影画像の明るさを補正する補正工程と、を備え、上記補正工程では、上記検出工程で検出した上記特定領域の明るさを予め設定した明るさの許容範囲と比較し、上記特定領域の明るさが上記許容範囲から外れていた場合に、上記撮影工程で撮影した撮影画像を複数の色成分に分解した各色成分毎の画像データを上記特定領域の明るさに基づいてそれぞれ補正する。
【００１７】
また、上述した発明によると、上記検出工程では、上記特定領域の画像を複数の色成分に分解して各色成分毎の画像の明るさを検出することにより上記特定領域の明るさを検出することを特徴とする。
【００１９】
また、本発明のＩＤカード作成方法は、明るさの基準を与えるための背景部材を背景にして人物を撮影する撮影工程と、この撮影工程で撮影した撮影画像のうち人物から外れた上記背景部材上の特定領域の明るさを検出する検出工程と、この検出工程で検出した上記特定領域の明るさに基づいて、上記撮影工程で撮影した撮影画像の明るさを必要に応じて補正する補正工程と、当該人物の個人情報を記載した申請書を読み取る読取工程と、カード媒体を供給するカード供給工程と、このカード供給工程で供給されたカード媒体上に、上記補正工程で必要に応じて補正された撮影画像のうちの当該人物の顔写真、および上記読取工程で読み取った当該人物の個人情報を印刷する印刷工程と、顔写真および個人情報が印刷されたカード媒体上に保護膜を形成する保護膜形成工程と、保護膜を形成したＩＤカードを集積する集積工程と、を備え、上記補正工程では、上記検出工程で検出した上記特定領域の明るさを予め設定した明るさの許容範囲と比較し、上記特定領域の明るさが上記許容範囲から外れていた場合に、上記撮影工程で撮影した撮影画像を複数の色成分に分解した各色成分毎の画像データを上記特定領域の明るさに基づいてそれぞれ補正する。
【００２０】
また、上述した発明によると、上記検出工程では、上記特定領域の画像を複数の色成分に分解して各色成分毎の画像の明るさを検出することにより上記特定領域の明るさを検出することを特徴とする。
【００２２】
【発明の実施の形態】
以下、図面を参照しながらこの発明の実施の形態について詳細に説明する。
【００２３】
図１には、この発明の実施の形態に係る撮影装置１０を含むＩＤカード作成システム１（以下、単にシステム１と称する）の要部の構成を概略的に示してある。ここでは、撮影装置１０の構成および作用を中心に説明し、システム１の全体的な構成については後に詳述する。
【００２４】
システム１は、被写体としての人物Ｏを撮影するための撮影装置１０、および撮影した人物Ｏの顔写真（撮影画像）をその人物Ｏの個人情報とともに後述するカード媒体に印刷してＩＤカードを作成するＩＤカード作成装置２を有する。
【００２５】
撮影装置１０は、明るさの基準を与えるため被写体Ｏの後ろに配置された背景部材としてのブルーバック１２、被写体Ｏを所定の明るさで照明する図示しない照明装置、およびブルーバック１２を背景にして被写体Ｏを撮影するＣＣＤカメラ１４を備えた撮影機１６を有する。
【００２６】
撮影機１６は、ＣＣＤカメラ１４を介して撮影した撮影画像Ｐ（図２参照）を画像処理して、撮影画像Ｐの明るさを補正する画像処理部１８を有する。画像処理部１８は、明るさの許容範囲として、適正な明るさの下限および上限に関する明るさデータＦmin、Ｆmax（後述する）を記憶した図示しないメモリを有する。また、画像処理部１８は、ラン等のネットワーク２０を介してＩＤカード作成装置２に接続されている。
【００２７】
画像処理部１８は、ＣＣＤカメラ１４を介して撮影した図２に例示したような撮影画像Ｐのうち人物Ｏ’から外れたブルーバック１２上の２つの円形の特定領域Ａ1、Ａ2の画像の明るさを検出し、この特定領域Ａ1、Ａ2の明るさが許容範囲Ｆmin〜Ｆmaxから外れている場合に特定領域Ａ1、Ａ2の明るさに基づいて撮影画像Ｐの明るさを補正する。本実施の形態では、特定領域Ａ1、Ａ2を人物Ｏ’の両肩の上に設定したが、人物Ｏ’が重なる可能性の低い背景上の位置に特定領域を設定することが望ましい。
【００２８】
以下、図３に示すフローチャートを参照して、上述した撮影装置１０による撮影動作を説明する。
【００２９】
まず、被写体としての人物Ｏがブルーバック１２を背景にして所定の撮影位置に立つ。そして、図示しない照明装置を介して人物Ｏを照明し、所定の撮影条件に予めセットしたＣＣＤカメラ１４を用いて撮影機１６を介して人物Ｏの顔写真を撮影する（ステップ１）。撮影された撮影画像Ｐは、撮影機１６の画像処理部１８へ入力される。
【００３０】
画像処理部１８では、まず、撮影画像Ｐのうち特定領域Ａ1、Ａ2の明るさを検出する（ステップ２）。このとき、画像処理部１８は、各特定領域Ａ1、Ａ2の画像をそれぞれ複数の色成分、即ちレッド（Ｒ）、グリーン（Ｇ）、ブルー（Ｂ）に色分解し、各色成分毎の画像に関する明るさデータＲｂ、Ｇｂ、Ｂｂを取得する。そして、これら各色成分毎の明るさデータＲｂ、Ｇｂ、Ｂｂを平均化した特定領域Ａ1、Ａ2の明るさデータＦｂ
Ｆｂ＝（Ｒｂ、Ｇｂ、Ｂｂ）／３
を算出し、このＦｂを特定領域Ａ1、Ａ2の明るさとする。
【００３１】
次に、画像処理部１８は、ステップ２で検出した特定領域Ａ1、Ａ2の明るさＦｂを図示しないメモリに予め記録した許容範囲（Ｆmin〜Ｆmax）と比較する。許容範囲として、適切な明るさの下限Ｆminと適切な明るさの上限Ｆmaxがメモリに予め記録されている。そして、この比較の結果、
Ｆmin≦Ｆｂ≦Ｆmax
である場合、即ち特定領域Ａ1、Ａ2の明るさＦｂが許容範囲内である場合（ステップ３；ＹＥＳ）、撮影画像Ｐの明るさを補正する必要のないことが判断され、撮影画像Ｐの明るさを補正することなく動作を終了する。
【００３２】
一方、ステップ３で特定領域Ａ1、Ａ2の明るさＦｂを許容範囲と比較した結果、Ｆｂが許容範囲から外れていること、すなわち、
Ｆmin＞Ｆｂ
Ｆmax＜Ｆｂ
のうちいずれかであることを判断した場合（ステップ３；ＮＯ）、画像処理部１８は、ステップ２で検出した特定領域Ａ1、Ａ2の明るさＦｂに基づいて、ステップ１で撮影した撮影画像Ｐの明るさを補正する（ステップ４）。
【００３３】
画像処理部１８にて撮影画像Ｐの明るさを補正する場合、まず、次の２通りの演算が選択的に成される。
【００３４】
第１に、ステップ２で検出した特定領域Ａ1、Ａ2の明るさＦｂがメモリに記録したＦminより小さい場合、画像を明るくする補正を行なうため予め用意した関数ｆｎを用いて、以下の式に基づいて補正計数Ｆｄを算出する。
【００３５】
Ｆｄ＝ｆｎ（Ｆmin，Ｆｂ）
第２に、ステップ２で検出した特定領域Ａ1、Ａ2の明るさＦｂがメモリに記録したＦmaxより大きい場合、画像を暗くする補正を行なうため予め用意した関数ｆｘを用いて、以下の式に基づいて補正計数Ｆｄを算出する。
【００３６】
Ｆｄ＝ｆｘ（Ｆmax，Ｆｂ）
そして、上記いずれかの式に従って算出した補正計数Ｆｄ、および撮影画像Ｐを色分解したＲ、Ｇ、Ｂに関する画像データＩ（以下、ＲＧＢをまとめてＩとする）を予め用意した所定の関数ｆに代入し、補正後の各色成分毎の画像データＩ’を求める。
【００３７】
Ｉ’＝ｆ（Ｉ，Ｆｄ）
即ち、画像処理部１８は、撮影画像Ｐを各色成分に分解した各色成分毎の画像データＩを上式のＩ’に変換するような画像処理を実行し、撮影画像Ｐの明るさを補正する。
【００３８】
以上のように、本実施の形態によると、撮影画像Ｐのうち被写体Ｏ’の明るさに影響を及ぼす撮影時における外光等の外的要因が同様に影響するブルーバック背景の明るさを検出し、この背景の明るさを基準にして撮影画像Ｐの明るさを補正するようにした。このため、撮影装置１０の設置場所、照明装置、外光、撮影時刻、季節などの撮影環境が変化しても、略同じ明るさレベルの画像を常に撮影でき、品質の高い撮影画像を提供できる。
【００３９】
図４には、この発明の実施の形態に係る上述したＩＤカード作成システム１の構成をブロック図にして示してある。ここでは、上述した撮影装置１０についての詳細な説明は省略する。
【００４０】
システム１は、上述した撮影装置１０およびＩＤカード作成装置２（以下、単に作成装置２と称する）の他に、ＩＤカードの作成を申請する申請者（人物Ｏ）によってその個人情報が記載された申請書を読み取るスキャナ（読取装置）３０を備えている。
【００４１】
作成装置２は、撮影装置１０で撮影されて上述した画像処理が必要に応じてなされた人物Ｏの顔写真データ、およびスキャナ３０を介して申請書から読み取った個人データを取得するとともに、作成装置２の動作を制御する制御部としてのＣＰＵ２１を有する。
【００４２】
また、作成装置２は、原券としての複数枚のカード媒体を１枚ずつ供給するカード供給部２２、供給されたカード媒体に人物の顔写真データおよび個人データをイエロー（Ｙ）インク、マゼンタ（Ｍ）インク、シアン（Ｃ）インク、およびブラック（Ｂｋ）インクを用いてカラー印刷する印刷部２３、顔写真および個人情報が印刷されたカード媒体の表面上の少なくとも一部、例えば顔写真や個人情報が印刷された印刷領域の上に保護膜を形成するための紫外線硬化液を塗布する塗布部２４、カード媒体上に塗布された紫外線硬化液に紫外線を照射して硬化させる硬化処理部２５、および硬化処理部２５を通過して保護膜が形成されたカード媒体、即ちＩＤカードをスタックするスタッカ２６が接続されている。
【００４３】
しかして、作成装置２のカード供給部２２からカード媒体が供給され、このカード媒体の表面に印刷部２３を介して人物Ｏの顔写真および個人情報がカラー印刷される。顔写真および個人情報が印刷されたカード媒体は、塗布部２４を通過されて紫外線硬化液が塗布され、硬化処理部２５を通過されて保護膜が形成される。保護膜が形成されたＩＤカードは、スタッカ２６に集積される。
【００４４】
尚、この発明は、上述した実施の形態に限定されるものではなく、この発明の範囲内で種々変形可能である。例えば、上述した実施の形態では、人物Ｐの両肩の上にある特定領域Ａ1、Ａ2の明るさに基づいて撮影画像Ｉの明るさを補正する場合について説明したが、これに限らず、特定領域の位置、サイズ、形状、個数等は任意に変更可能である。
【００４５】
また、上述した実施の形態では、背景部材としてブルーバック１２を用いたが、背景の色はいかなる色であっても良い。
【００４６】
【発明の効果】
以上説明したように、この発明の撮影装置、およびＩＤカード作成システムは、上記のような構成および作用を有しているので、外光などの影響を受けることなく被写体を一定の明るさで撮影でき、品質の高い撮影画像を提供できる。
【図面の簡単な説明】
【図１】この発明の実施の形態に係る撮影装置を含むＩＤカード作成システムを示す概略図。
【図２】図１の撮影装置で撮影した撮影画像の１例を示す図。
【図３】図１の撮影装置による動作を説明するためのフローチャート。
【図４】図１のシステムに組み込まれたＩＤカード作成装置の詳細な構成を示すブロック図。
【符号の説明】
１…ＩＤカード作成システム、
２…ＩＤカード作成装置、
１０…撮影装置、
１２…ブルーバック、
１４…ＣＣＤカメラ、
１６…撮影機、
１８…画像処理部、
２０…ネットワーク、
２１…ＣＰＵ、
２２…カード供給部、
２３…印刷部、
２４…塗布部、
２５…効果処理部、
２６…スタッカ、
Ａ1、Ａ2…特定領域、
Ｏ…人物、
Ｐ…撮影画像。
【図１】
0004357719.tif 000002
【図２】
0004357719.tif 000003
【図３】
0004357719.tif 000004
【図４】
0004357719.tif 000005